(57)【要約】      （修正有）【課題】結束作業を行なう作業者の負担を著しく軽減し、結束状態を高品質に保つことができる回転型電動工具の結束用アタッチメントを提供する。【解決手段】回転型電動工具の結束用アタッチメント１は、軸部４の基端側に回転型電動工具の回転部に装着できる構成を有する装着基部５を備え、軸部４の先端側に結束線を引っ掛けることができる鉤部６を備えている。また、鉤部６は先端に行くに従って先細り形状になっている。このように構成することで、結束線を引っ掛けることが容易になるとともに鉤部６の先端部の操作がしやすい利点がある。【選択図】図１
0003170764.tif 000002
【実用新案登録請求の範囲】
【請求項１】
アタッチメントの軸部の基端側に形成された装着基部と、前記軸部の先端側に形成されて結束線を引っ掛けることができる鉤部とを備え、前記軸部は直線形であり、さらに前記装着基部は回転型電動工具の回転部に装着できるように構成されていることを特徴とする回転型電動工具の結束用アタッチメント。
【請求項２】
請求項１に記載の回転型電動工具の結束用アタッチメントにおいて、前記軸部の延びる方向と前記鉤部の延びる方向との成す角度を９０゜〜０゜の範囲にした回転型電動工具の結束用アタッチメント。
【請求項３】
請求項２に記載の回転型電動工具の結束用アタッチメントにおいて前記成す角度を７０°〜３０°に設定した回転型電動工具の結束用アタッチメント。
【請求項４】
請求項１〜請求項３に記載の回転型電動工具の結束用アタッチメントにおいて、前記鉤部が先端に行くに従って先細り形状になっている回転型電動工具の結束用アタッチメント。
【請求項５】
請求項１〜請求項３に記載の回転型電動工具の結束用アタッチメントにおいて、前記鉤部は直線形で先細りの略錐形先端部域と、その略錐形先端部域の前記軸部に対する角度を決定する曲げ領域とから構成され、前記曲げ領域の長さよりも前記略錐形先端部域の長さが大きく設定してある回転型電動工具の結束用アタッチメント。
【請求項６】
請求項１〜請求項５のいずれか一つに記載の回転型電動工具の結束用アタッチメントにおいて、前記軸部の延びる方向と直交する左右方向の一方側のみに前記鉤部が形成されている回転型電動工具の結束用アタッチメント。
【考案の詳細な説明】
【技術分野】
【０００１】
本考案は電動工具に装着するアタッチメントに関し、特に回転型電動工具に装着するアタッチメントに関する。
【背景技術】
【０００２】
従来、交差する線材，鉄筋等を結束する場合は、例えば、略Ｕ字形に折り曲げた金属製の結束線（針金）を用いて、線材，鉄筋の交差部分に位置させた後、結束線を手回し又は手動の回し工具を用いて結束状態にしている。
下記特許文献１には専用の結束具を用いる方法が開示されている。
【先行技術文献】
【特許文献】
【０００３】
【特許文献１】特開２００３−１８４２２３「鉄筋用結束具」
【考案の開示】
【考案が解決しようとする課題】
【０００４】
しかし、上記従来技術であれば、結束する箇所が多数ある場合には、作業者の負担が大きくなり、疲労によって結束状態が不良になりやすいという課題がある。さらに、結束線を用いて結束作業を行う場合、交差する線材などの被結束物の種類や形状によって結束作業に「慣れ」が必要になる場合も多く、作業者の熟練度が足りないと結束不良箇所が出ることも多かった。
本考案は上記課題に鑑みてなされたものであり、本考案の目的は上記課題を解決できる回転型電動工具の結束用アタッチメントを提供することにある。
【０００５】
具体的な目的の一例を示すと、以下の通りである。
（ａ）作業者の負担を著しく軽減し、結束状態を高品質に保つことができる回転型電動工具の結束用アタッチメントを提供する。
（ｂ）結束線や被結束物に対して安価に対応できる回転型電動工具の結束用アタッチメントを提供する。
なお、上記に記載した以外の考案の課題、その解決手段及びその効果は、後述する明細書内の記載において詳しく説明する。
【課題を解決するための手段】
【０００６】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
第１考案に係る回転型電動工具の結束用アタッチメント１は、アタッチメント１の軸部４の基端側に形成された装着基部５と、前記軸部４の先端側に形成されて結束線１７を引っ掛けることができる鉤部６とを備え、前記軸部４は直線形であり、さらに前記装着基部５は回転型電動工具２の回転部３に装着できるように構成されていることを特徴とする。
前記軸部の直線形は鉤部の回転を安定させる程度の直線性があればよい。
この考案であれば、結束線を線材，鉄筋などの被結束物に掛けた後、結束用アタッチメントの鉤部に結束線を引っ掛けた状態とし、その状態から回転型電動工具に装着された結束用アタッチメントを回転させることによって、結束線を被結束物に結束させることができる。本考案であれば、従来、人が行なっていた手作業を回転型電動工具によって行なうことができるので、作業者の負担を著しく軽減するとともに個人差を小さくして、結束状態を高品質に保つことができる。
【０００７】
第２考案は、第１考案において、前記軸部４の延びる方向１０と前記鉤部６の延びる方向１１との成す角度θを９０゜〜０゜の範囲にしたことを特徴とする。
この考案であれば、結束線を鉤部に引っ掛けることが行ないやすくなる。
なお、上記構成において角度θが０゜である場合は、結束用アタッチメントの軸部と鉤部とが平行になることになる。
【０００８】
第３考案は、上記第２考案において、前記成す角度θを７０°〜３０°に設定したことを特徴とする。
この考案であれば、結束線を引っ掛けることがさらに行いやすくなるとともに、先端部を操作しやすくなる。
第４考案は、上記各考案において、前記鉤部６が先端に行くに従って先細り形状になっていることを特徴とする。
この考案であれば、先端が先細り形状になっていることによって結束線を引っ掛けることが容易になるとともに鉤部の先端部の微妙な動きを行ないやすい。
【０００９】
第５考案は、上記各考案において、前記鉤部６は直線形で先細りの略錐形先端部域２０と、その略錐形先端部域２０の前記軸部４に対する角度θを決定する曲げ領域２１とから構成され、前記曲げ領域２１の長さよりも前記略錐形先端部域２０の長さが大きく設定してあることを特徴とする。
前記略錐形先端部域と曲げ領域の各長さは軸部の周面からの距離を測るものとする。
この考案であれば、直線形で先細りの略錐形先端部域を長く形成されているので鉤部の先端部を操作しやすくなる。
第６考案は、上記各考案において、前記軸部４の延びる方向１０と直交する左右方向の一方側２２のみに前記鉤部６が形成されていることを特徴とする。
この考案であれば、回転中心である軸部の延びる方向に対して、左右方向にまたがるように鉤部が形成されておらず、左右方向の一方側のみに鉤部が形成されていることになるので、結束用アタッチメントを回転させた場合に鉤部は係合する結束線を良好に捩ることができる。
【考案の効果】
【００１０】
以上説明したように、本考案であれば、作業者の負担を著しく軽減し、結束状態を高品質に保つことができ、さらに結束線や被結束物の各種条件に対して安価に対応できる回転型電動工具の結束用アタッチメントを提供できる。
【考案を実施するための形態】
【００１１】
以下、本考案の実施の形態を図面に基づき説明する。
図１は本考案の第１実施形態を示す結束用アタッチメントの正面図、図２はその平面図、図３は底面図、図４は右側面図、図５は結束用アタッチメントを回転型電動工具に装着した状態を示す図である。
図１〜図５に示すように、本結束用アタッチメント１は軸部４の一端側に装着基部５が形成され、他端側に鉤部６が形成されている。装着基部５は回転型電動工具２の回転部３に装着できる構成となっている。この実施形態では、装着基部５は六角形の嵌合部を備えており、基体側の端部７から所定長さ離れた位置に係合凹周部８が形成されたものが例示してある。
軸部４は直線形の棒材で構成してある。軸部４の外周は六角形のものが示してあるが、断面が円形の軸部４を採用することも可能である。軸部４の長さと太さも適宜、装着する回転型電動工具の種類、結束線及び被結束物に対応して変えることが可能である。
【００１２】
鉤部６の形状は実質的に結束線１７（図８参照）を引っ掛けることのでき、捩ることができる好適な形状であれば特に限定されない。図１〜図５の構成では、鉤部６は軸部４の先端を曲げて鉤部６の先端に行くに従って先細形になるように構成してある。
図６は鉤部付近の拡大図である。
軸部４の延びる方向１０と鉤部６の方向１１とが成す角度θ１は、９０°〜０°の範囲に形成されることが多い。図６では５０゜程度に設定してある。これは鉤部６の引っ掛けることができる機能を高めるために好ましい構成である。上記角度θ１は７０°〜３０°の範囲になるように設定することが好ましく、さらに６０°〜４０°の範囲にすることが好ましい。
【００１３】
次に、この結束用アタッチメントの使用の一例を簡単に説明する。
図７に示すように、例えば、交差する２本の線材１６、１６に対して結束線１７を用いて結束状態にすることを考える。結束線１７は線材１６よりも細い針金などで構成され、Ｕ字形に折り曲げたものが例示されている。なお、２本の線材１６、１６は被結束物１８の一例として例示しているものであり、線材１６以外のものであっても本考案の結束用アタッチメント１を使用できるものである。
【００１４】
まず、図７に示すように、線材１６、１６に対して結束線１７を結束できるような斜め状態に位置させた後、図８に示すように鉤部６の先端部を結束線１７のＵ字形の折曲部に通して、他端側の２本の結束線１７に対して絡めるように交差させた状態にする。この状態から結束用アタッチメント１を回転させると、４本の結束線１７は複数回捩られることによって図９に示す結束状態になる。
なお、この図７〜図９ではＵ字形の結束線１７を例示したが、１本の結束線や３本〜ｎ本（ｎは自然数）の結束線を用いることも可能である。また、鉤部６の先端部をＵ字形の折曲部に通さなくても、鉤部６に絡ませて回転させることによっても結束した状態にすることができる。
【００１５】
また、図１０に示すように、この結束用アタッチメントの鉤部６は直線形で先細りの略錐形先端部域２０と、その略錐形先端部域２０の軸部４に対する傾斜角度θを決定する曲げ領域２１とから構成されている。また、曲げ領域２１の長さよりも前記略錐形先端部域２０の長さを大きく設定してある。このように構成することで、鉤部の先端部域を微妙に操作して、結束線を絡ませることが容易にできる。なお、先端部域は角錐形でも採用できるが、円錐形とすることが好ましい。
さらに、図１０に示すように、軸部４の中心軸を通る軸部の延長方向１０に対して直交する左右方向を考え、その左右方向の一方側２２（図１０では下向きで示される）のみに鉤部６が形成されており、他方側２３（図１０では上向きで示される）には鉤部６は存在しないように形成してある。この構成であると、結束線が略錐形先端部域２０に引っ掛ったときに、回転中心である軸部４の中心軸に近い位置に結束線が存在することになるので、結束線を捩る場合にその捻りを一定に保ちやすくなる。
【００１６】
第１実施形態に係る結束用アタッチメントを用いた結束方法であれば、以下のような利点を有する。
（１）従来から使用されている結束線をそのまま使用することができるので、前記特許文献１で開示されたような新しい形の結束部材を作ることが不要で簡単かつ低コストで実施できる。
（２）回転型電動工具は汎用のものが採用できるので、結束用の専用電動具を製造する必要がなく、安価に実施できる。
【００１７】
（３）被結束物は線材，鉄筋以外にも多種多様である。また、結束線の太さなどの種類も多い。このような種々の条件に応じた結束用アタッチメントの鉤部を製造することが可能である。例えば、アタッチメントの大きさや、鉤部の角度θなどである。これらの結束用アタッチメントは回転型電動工具に装着されることを前提にしているので、手に持つ把持部などを製造する必要がなく、細くて軽いもので構成できる。したがって、結束用アタッチメント１の製造コストを安価にできる。また、軽量なので作業者は必要に応じて、作業場に多数種類の結束用アタッチメントを作業現場に持って行くことができ、現場の作業に応じた結束用アタッチメントを選ぶことも可能である。
（４）回転型電動工具及び結束用アタッチメントを用いることで熟練者のみならず、結束作業の初心者であっても結束作業を標準化でき、高品質な結束作業を実現できる。
【００１８】
図１１（Ａ）（Ｂ）はそれぞれ本発明の第２実施形態を説明するための鉤部付近の拡大図である。
図１１（Ａ）は前述の成す角度θ２が小さく、鉤部６の先端部が軸部４に近い構成である。
図１１（Ｂ）は成す角度θ３が大きく、鉤部６の先端部が軸部４に遠い構成である。図１１（Ｂ）の成す角度θ３を９０°近くに設定することも可能である。但し、一般的な結束作業においては、図６に示す角度θ１の角度程度が作業しやすい場合が多い。
【００１９】
本考案は上記実施形態以外にも本考案の要旨を変更しない範囲で種々の変形を行うことが可能である。
（１）前記実施形態では結束用アタッチメントの装着基部５を六角周面で係合凹周部８を備えたもので例示したが、当然のことながら、既存の各種回転型電動工具で採用されている装着構造に対応する装着基部の構成を採用できる。
（２）前記各実施形態では、角度θ１，θ２，θ３などを使用して鉤部６を説明したが、前記したように第１考案（請求項１）における鉤部６の構成は、実質的に結束線１７を引っ掛けることができ、捩ることができる好適な形状であれば特に限定されないものである。
【図面の簡単な説明】
【００２０】
【図１】本考案の第１実施形態を示す結束用アタッチメントの正面図である。
【図２】第１実施形態に係る結束用アタッチメントの平面図である。
【図３】第１実施形態に係る結束用アタッチメントの底面図である。
【図４】第１実施形態に係る結束用アタッチメントの右側面図である。
【図５】第１実施形態に係る結束用アタッチメントを回転型電動工具に装着した様子を示す図である。
【図６】第１実施形態に係る結束用アタッチメントの鉤部付近の拡大図である。
【図７】線材に結束線を引っ掛けた状態の一例を示す図である。
【図８】結束線に鉤部を引っ掛けて回転させる前の状態の一例を示す図である。
【図９】線材に結束線を結束した後の状態の一例を示す図である。
【図１０】第１実施形態に係る結束用アタッチメントの鉤部付近の拡大図である。
【図１１】図１１（Ａ）（Ｂ）はそれぞれ本発明の第２実施形態を説明するための鉤部付近の拡大図である。
【符号の説明】
【００２１】
１…結束用アタッチメント
２…回転型電動工具
３…回転部
４…軸部
５…装着基部
６…鉤部
１０…軸部の延びる方向
１１…鉤部の延びる方向
１７…結束線
２０…略錐形先端部域
２１…曲げ領域
２２…軸部の延長方向の一方側
θ（θ１，θ２，θ３）…軸部の延びる方向と記鉤部の延びる方向の成す角度
【図１】
0003170764.tif 000003
【図２】
0003170764.tif 000004
【図３】
0003170764.tif 000005
【図４】
0003170764.tif 000006
【図５】
0003170764.tif 000007
【図６】
0003170764.tif 000008
【図７】
0003170764.tif 000009
【図８】
0003170764.tif 000010
【図９】
0003170764.tif 000011
【図１０】
0003170764.tif 000012
【図１１】
0003170764.tif 000013